(57)【要約】【課題】銀クリスタル材の消耗度合いが容易に確認でき、交換が簡単な銀イオン溶出装置を有する洗濯機を提供すること。【解決手段】銀イオンを練り込んだ銀クリスタル材４を封入した通水性を有する袋体５０と、袋体５０を収納し上部枠体２４内部に設けた給水ボックス３６とを有し、給水ボックス３６は、洗濯物投入開口部２５に形成された切欠き部５６を塞ぐように固定されることにより、安価な構造で、衣類に対して抗菌作用のある銀イオンの溶出を長期間にわたり安定して効率良く行うことができ、銀イオン溶出装置５５内の銀クリスタル材４を容易に交換することができる。【選択図】図１
2014176448.tif 000002
【特許請求の範囲】
【請求項１】
本体上部に設けた上部枠体と、前記上部枠体に形成された洗濯物投入開口部と、前記洗濯物投入開口部を開閉自在に覆う蓋体と、洗濯物を収容する洗濯兼脱水槽を回転自在に内包した水槽と、前記上部枠体の内方に設けた給水弁と、前記給水弁と連通し前記洗濯物投入開口部に設けた銀イオン溶出装置とを備え、前記銀イオン溶出装置は、銀イオンを練り込んだ銀クリスタル材を封入した通水性を有する袋体と、前記袋体を収納し前記上部枠体内部に設けた給水ボックスとを有し、前記給水ボックスは、前記洗濯物投入開口部に形成された切欠き部を塞ぐように固定されることを特徴とする洗濯機。
【請求項２】
前記給水ボックスは、前記洗濯物投入開口部に面した前面部を透明材で形成した請求項１に記載の洗濯機。
【発明の詳細な説明】
【技術分野】
【０００１】
本発明は、抗菌性のある銀イオンを洗濯水の中に溶出する銀イオン溶出装置を備えた洗濯機に関するものである。
【背景技術】
【０００２】
従来、この種の洗濯機は、洗濯物を清潔に仕上げる為に、洗濯を行う際の洗濯水やすすぎ水の給水時に銀イオンを溶出させ、抗菌作用を衣類に与える構成が提案されている（例えば、特許文献１参照）。
【０００３】
図５は、特許文献１に記載された従来の洗濯機の縦断面図、図６は、同洗濯機の金属イオン溶出装置の断面図を示すものである。
【０００４】
図５、図６において、洗濯機の外箱９０上方に配置したバックパネル６２内部に電磁的に開閉する給水弁６０と洗濯槽１３０内部に臨む位置に給水口６３を配し、給水弁６０と給水口６３の間にイオン溶出ユニット１００を配管する。
【０００５】
イオン溶出ユニット１００は、洗濯水の流入口１１１と流出口１１２を有し、内部に銀プレート等で構成した電極１１３，１１４を、距離を隔てて配置し、ケース１１０の内部を給水中に電圧印加することにより、陽極においてＡｇ→Ａｇ＋＋ｅ−の反応が起こり、水中に銀イオン（Ａｇ＋）が溶出し衣類に付着する構成である。
【先行技術文献】
【特許文献】
【０００６】
【特許文献１】特開２００４−１７３７１７号公報
【発明の概要】
【発明が解決しようとする課題】
【０００７】
しかしながら、前記従来の構成では、イオン溶出装置の構造は複雑で、かつ、高価な部品を使用し電極などの制御部品等が必要であり、一般的な価格帯の洗濯機には組込が難しかった。そのため高級タイプの洗濯機にしか組込することができず、広範な消費者が利用しにくいという課題があり、また、イオン溶出装置が洗濯機の内部に組み込まれているために、内部の電極などの摩耗が確認しにくく、交換も簡単にはできないという課題もあった。
【０００８】
本発明は、前記従来の問題を解決するもので、安価な構造で、銀イオンの溶出を長期間にわたり安定して効率良く行うことのできる銀イオン溶出装置で、かつ、内部に設けた銀クリスタル材の消耗状態が簡単に視認でき、容易に銀イオン溶出装置内の銀クリスタル材を交換できるようにした洗濯機を提供することを目的とする。
【課題を解決するための手段】
【０００９】
前記従来の課題を解決するために、本発明の洗濯機は、本体上部に設けた上部枠体と、前記上部枠体に形成された洗濯物投入開口部と、前記洗濯物投入開口部を開閉自在に覆う蓋体と、洗濯物を収容する洗濯兼脱水槽を回転自在に内包した水槽と、前記上部枠体の内方に設けた給水弁と、前記給水弁と連通し前記洗濯物投入開口部に設けた銀イオン溶出装置とを備え、前記銀イオン溶出装置は、銀イオンを練り込んだ銀クリスタル材を封入した通水性を有する袋体と、前記袋体を収納し前記上部枠体内部に設けた給水ボックスとを有し、前記給水ボックスは、前記洗濯物投入開口部に形成された切欠き部を塞ぐように固定
されるものである。
【００１０】
これによって、銀イオン溶出装置は、安価な構造で、衣類に対して抗菌作用のある銀イオンの溶出を長期間にわたり安定して効率良く行うことができ、銀イオン溶出装置内の銀クリスタル材を容易に交換することができる。
【発明の効果】
【００１１】
本発明の洗濯機は、銀イオン溶出装置において、抗菌作用のある銀クリスタル材の交換を容易にすることができ、また、給水ボックスを透明にすることにより、銀クリスタル材の消耗量を簡単に視認して、その交換時期を判断することができる。
【図面の簡単な説明】
【００１２】
【図１】本発明の実施の形態における洗濯機の縦断面図
【図２】同洗濯機の銀イオン溶出装置部回りの要部断面図
【図３】同銀イオン溶出装置部回りの斜視図
【図４】同銀イオン溶出装置部の給水ボックス部分の分解斜視図
【図５】従来の洗濯機の縦断面図
【図６】同洗濯機のイオン溶出装置の断面図
【発明を実施するための形態】
【００１３】
第１の発明は、本体上部に設けた上部枠体と、前記上部枠体に形成された洗濯物投入開口部と、前記洗濯物投入開口部を開閉自在に覆う蓋体と、洗濯物を収容する洗濯兼脱水槽を回転自在に内包した水槽と、前記上部枠体の内方に設けた給水弁と、前記給水弁と連通し前記洗濯物投入開口部に設けた銀イオン溶出装置とを備え、前記銀イオン溶出装置は、銀イオンを練り込んだ銀クリスタル材を封入した通水性を有する袋体と、前記袋体を収納し前記上部枠体内部に設けた給水ボックスとを有し、前記給水ボックスは、前記洗濯物投入開口部に形成された切欠き部を塞ぐように固定されることにより、銀イオン溶出装置は、安価な構造で、衣類に対して抗菌作用のある銀イオンの溶出を長期間にわたり安定して効率良く行うことができ、銀イオン溶出装置内の銀クリスタル材を容易に交換することができる。
【００１４】
第２の発明は、特に、第１の発明の給水ボックスは、前記洗濯物投入開口部に面した前面部を透明材で形成したことにより、銀クリスタル材の消耗量を簡単に視認して交換時期を判断し、適時に交換できるので、衣類に対して抗菌作用を継続することができる。
【００１５】
以下、発明の実施の形態について、図面を参照しながら説明する。また、この実施の形態によって本発明が限定されるものではない。
【００１６】
（実施の形態１）
図１は、本発明の実施の形態における洗濯機の縦断面図を示すものである。
【００１７】
図１において、本体１１は、脚体４３を装着した合成樹脂製の台枠４２に載置され、内部には洗濯兼脱水槽１５を回転自在に内設した水槽１３を吊り棒１２と防振装置４５により懸垂防振支持している。水槽１３上部の開口端には、水槽カバー４４が装着されている。
【００１８】
洗濯兼脱水槽１５は、側壁に多数の脱水孔１６を有するとともに、上部内周に脱水回転時の振動低減用の流体バランサ１７を有し、中央底部にはパルセータ１４を回転自在に配設する。
【００１９】
また、洗濯兼脱水槽１５の上部には、パルセータ１４の回転時のポンプ作用で洗濯水を上部に持ち上げて糸屑を捕集するリントフィルタ３３が設けられている。
【００２０】
洗濯・脱水軸４６は中空で２軸構造とし、水槽１３の外底部の伝達機構部１９の内部の減速ギアおよびクラッチ（図示せず）で、洗濯・脱水軸４６の回転切り換えを行う。そして、モータ２０の回転を、駆動プーリ２１、ベルト２３、従動プーリ２２を介して、洗濯時にはパルセータ１４に、脱水時に洗濯兼脱水槽１５にそれぞれ回転伝達する。
【００２１】
本体１１の上部には上部枠体２４を配し、上部枠体２４の略中央部には、洗濯兼脱水槽１５と外部とを連通するための洗濯物投入開口部２５を形成し、洗濯物投入開口部２５は蓋体２６にて開閉自在に覆われている。上部枠体２４の前方側の内部には、制御装置２７を配し、後方側の内部には、水道蛇口（図示せず）と給水ホース３０で連結した電磁力により開閉可能な給水弁２８を配設している。
【００２２】
水槽１３の底部には、水槽１３内の洗濯水を止水し、また排水するための排水弁４０が設けられ、排水時に開放すると、排水ホース４１を介して洗濯水が外部へ排水される。
【００２３】
図２は、本発明の実施の形態における洗濯機の銀イオン溶出装置部回りの要部断面図を示すものである。
【００２４】
図２において、給水弁２８は、上部枠体２４の内方に設けた上部枠体裏板４７後部の上に設けられ、この上部枠体裏板４７と通水路カバー５３で構成された通水路５４の先で、洗濯物投入開口部２５側には、給水ボックス（給水経路）３６を接続し、給水ボックス３６は上部枠体２４の内部に設けられ、上部枠体２４にねじ５１（図４参照）にて固定している。なお、洗濯物投入開口部２５の側壁には切欠き部５６が形成されており、給水ボックス３６の前面側がその切欠き部５６を塞ぐように装着されている。
【００２５】
給水ボックス３６の袋体収納部５２には、銀イオンを練り込んだ小片状の銀クリスタル材４を封入し、水が通過できる不織布で作られた袋体５０が収納されており、銀イオン溶出装置５５を構成している。
【００２６】
そして、給水ホース３０から給水された水道水は、矢印のように、給水弁２８から通水路５４を通り、銀イオン溶出装置５５の給水ボックス３６内に収納された袋体５０の中の銀クリスタル材４の表面に接触し、銀イオンを溶解させながら、下方の洗濯兼脱水槽１５内へと落ちていく。
【００２７】
この銀クリスタル材４は、水溶性の三酸化二硼素（Ｂ２Ｏ３）に銀イオンを練り込んだ部材を主材料として、粒子状の固形物状態に加工された多数の小片として構成している。
【００２８】
なお、本実施の形態では給水弁２８から給水ボックス（給水経路）３６までの通水されていく構成部分を総称して給水構造部と呼ぶこととする。
【００２９】
図３は、発明の実施の形態における洗濯機の銀イオン溶出装置部回りの斜視図であり、ねじ５１を取り付けていない図を示し、図４は、同銀イオン溶出装置部の給水ボックス部分の分解斜視図を示すものである。
【００３０】
図３、図４において、給水ボックス３６は、ボックス本体３６Ａとボックスカバー３６Ｂで構成され、ボックス本体３６Ａの中の袋体収納部５２に銀クリスタル材４を封入した袋体５０を収納し、その上からボックスカバー３６Ｂをかぶせて、銀イオン溶出装置５５を構成している。そして、給水ボックス３６は、上部枠体２４に下方側から装着させてお
り、この時、上述のように、洗濯物投入開口部２５の側壁に形成した切欠き部５６を給水ボックス３６の前面側で塞ぐようにして、下方向からねじ５１により上部枠体２４に固定している。
【００３１】
また、ボックス本体３６Ａの洗濯物投入開口部２５側であるボックス前面部４８は、透明材で形成されており、同じく、ボックスカバー３６Ｂの洗濯物投入開口部２５側であるカバー前面部４９も透明材で形成されており、蓋体２６を開けると、給水ボックス３６内に収納した袋体５０中の銀クリスタル材４の消耗度合いが視認できるようになっている。給水ボックス３６の洗濯物投入開口部２５に面した前面部は、ボックス前面部４８およびカバー前面部４９の少なくとも一方を含む。
【００３２】
以上のように構成された洗濯機について、以下その動作、作用を説明する。
【００３３】
制御装置２７からの信号により洗濯運転が開始し、給水弁２８が開放されることにより、給水ホース３０から水道水が流入して給水ボックス（給水経路）３６に流れこむ。この水が袋体５０内の銀クリスタル材４に接触することにより、Ａｇイオンが溶け出して洗濯兼脱水槽１５内に流れ込む。その結果、銀クリスタル材４の中に練り込まれている銀イオン（Ａｇ＋）が水中に溶出し衣類に付着し、洗濯物の抗菌処理をする事が出来る。
【００３４】
なお、この銀クリスタル材４は、毎回水が通過することにより銀イオンが消耗するため銀イオンが消耗したときは交換が必要になる。給水ボックス３６のボックス本体３６Ａのボックス前面部４８、および、ボックスカバー３６Ｂのカバー前面部４９は透明材で形成されているために、袋体５０の中の銀クリスタル材４の消耗度合いが容易に視認することができる。そして、消耗して交換が必要になった時は、蓋体２６を開き上部枠体２４の下方よりねじ５１を緩めて給水ボックス３６を外す事により、簡単に交換することが可能である。
【００３５】
なお、本実施の形態では、給水ボックス３６のボックス本体３６Ａのボックス前面部４８、および、ボックスカバー３６Ｂのカバー前面部４９は透明材で形成されているとしたが、ボックス本体３６Ａ、および、ボックスカバー３６Ｂ全体が、透明材で形成されていても良い。
【００３６】
以上のように、本実施の形態においては、銀イオン溶出装置５５は、銀イオンを練り込んだ小片状の銀クリスタル材４を封入した通水性を有する不織布製の袋体５０を、給水ボックス３６内に収納するとともに、給水ボックス３６の洗濯物投入開口部２５側が洗濯物投入開口部２５の側壁に形成された切欠き部５６を塞ぐように装着されて、下方向からねじ５１にて上部枠体２４に固定される構成とすることにより、銀イオン溶出装置５５は、安価な構造で、衣類に対して抗菌作用のある銀イオンの溶出を長期間にわたり安定して効率良く行うことができ、銀イオン溶出装置５５内の銀クリスタル材４を容易に交換することができる。
【００３７】
また、給水ボックス３６は、洗濯物投入開口部２５に面した前面部を透明材で形成し、例えば、ボックス本体３６Ａとボックスカバー３６Ｂで構成され、ボックス本体３６Ａの洗濯物投入開口部２５側のボックス前面部４８と、ボックスカバー３６Ｂの洗濯物投入開口部２５側のカバー前面部４９を、もしくは、ボックス本体３６Ａとボックスカバー３６Ｂの全体を透明材で形成する構成とすることにより、銀クリスタル材４の消耗量を簡単に視認して交換時期を判断し、適時に交換できるので、衣類に対して抗菌作用を継続することができる。
【産業上の利用可能性】
【００３８】
以上のように、本発明にかかる洗濯機は、安価な構造の銀イオン溶出装置で、抗菌作用のある銀イオンの溶出を長期間、安定してでき、かつ、内部の銀クリスタル材の消耗状態が簡単に視認でき、容易に銀イオン溶出装置内の銀クリスタル材を交換できるので、ドラム式洗濯機など他の洗濯機の用途に適用できる。
【符号の説明】
【００３９】
４  銀クリスタル材
１１  本体
１３  水槽
１４  パルセータ
１５  洗濯兼脱水槽
２０  モータ
２４  上部枠体
２５  洗濯物投入開口部
２６  蓋体
２７  制御装置
２８  給水弁
３６  給水ボックス
３６Ａ  ボックス本体
３６Ｂ  ボックスカバー
４２  台枠
４５  防振装置
４８  ボックス前面部
４９  カバー前面部
５０  袋体
５１  ねじ
５５  銀イオン溶出装置
５６  切欠き部
【図１】
2014176448.tif 000003
【図２】
2014176448.tif 000004
【図３】
2014176448.tif 000005
【図４】
2014176448.tif 000006
【図５】
2014176448.tif 000007
【図６】
2014176448.tif 000008